(57)【要約】【課題】従来のカメラ角度調機構は、取り付け部材とカメラ本体との間にボールジョイントなどの締め付け機構があるため、天井や壁とのあいだの取り付け機構を含めた装置全体が大型化する傾向にあった。【解決手段】被写体を撮影する略球形のカメラと、カメラを取り付ける本体と、本体に設けられた第１の穴と、本体の裏側に配置され第２の穴部が設けられた固定板とを有し、カメラはその表面が第１の穴の縁と第２の縁と接触することで保持される撮影装置であり、カメラ角度調整の締め付け機構が不要になり、カメラの小型化、角度調整作業の時間短縮ができ、宅内外に固定し撮影するカメラ角度調機構として実用的にきわめて有用である。【選択図】図１
2005217718.tif 000002
【特許請求の範囲】
【請求項１】
被写体を撮影する略球形のカメラと、前記カメラを取り付ける本体と、前記本体に設けられた第１の穴と、前記本体の裏側に配置され第２の穴部が設けられた固定板とを有し、前記カメラはその表面が前記第１の穴の縁と前記第２の穴の縁と接触することで保持される撮影装置。
【請求項２】
被写体を撮影する略球形のカメラと、前記カメラを取り付ける本体と、前記本体に設けられた第１の穴と、前記本体の裏側に配置され第２の穴部が設けられた固定板と、前記カメラを所定の取り付け位置に取り付けるためのカメラ固定部と、前記カメラ固定部と前記固定板との間に設けた複数の弾性体とを有し、前記カメラはその表面が前記第１の穴の縁と前記第２の穴の縁と接触することで保持される撮影装置。
【請求項３】
弾性体はコイルばねである請求項２記載の撮影装置。
【請求項４】
固定板は、カメラ固定部に設けた突起部にねじを用いて取り付ける請求項２記載の撮影装置。
【請求項５】
弾性体はコイルばねであり、カメラ固定部に設けた突起部の外周部に取り巻いて装着した請求項４記載の撮影装置。
【請求項６】
カメラ固定部は複数の突起部を有し、固定板は所定位置の前記突起部にのみねじを用いて取り付けた請求項５記載の撮影装置。
【請求項７】
固定板はポリアセタール樹脂製である請求項２から６のいずれかに記載の撮影装置。
【発明の詳細な説明】
【技術分野】
【０００１】
本発明は、セキュリティカメラのように住宅内外に固定し撮影する撮影装置の角度調整機構に関するものである。
【背景技術】
【０００２】
従来、住宅内外に固定し撮影するカメラ角度調機構としてとしては、特許文献１に提案されているものがある。それを図５示し参照しながら説明すると、カメラ本体８と取り付け部材９をボールジョイント１１で接続されている。被写体をカメラの撮影範囲に入る角度調整は、ボールジョント１１で接続することで、自由に垂直、水平方向に移動、回転できるカメラ本体８を、被写体がカメラの撮影範囲に入るように垂直、水平方向に移動した後、ボールジョイント１１を締め付けねじ１０を締め付けることで行う。このように、従来のカメラ角度調整機構は、取り付け部材９とカメラ本体８との間にボールジョイント１１などの締め付け機構が必要であった。
【特許文献１】特開平７−１４７６４７号公報
【発明の開示】
【発明が解決しようとする課題】
【０００３】
上記従来のカメラ角度調機構は、取り付け部材とカメラ本体との間にボールジョイントなどの締め付け機構があるため、天井や壁とのあいだの取り付け機構を含めた装置全体が大型化する傾向にあった。
【課題を解決するための手段】
【０００４】
上記目的を達成するために、本発明の構成は、カメラを入れた回転体が、複数の弾性体で回転体を入れた球面部と押さえつけて、接触させながら回転できるようにする。
【０００５】
具体的に本発明は、被写体を撮影する略球形のカメラと、前記カメラを取り付ける本体と、前記本体に設けられた第１の穴と、前記本体の裏側に配置され第２の穴部が設けられた固定板とを有し、前記カメラはその表面が前記第１の穴の縁と前記第２の穴の縁と接触することで保持されるものである。
【発明の効果】
【０００６】
以上の説明から明らかなように、本発明により、カメラ角度調整の締め付け機構が不要になり、カメラの小型化、角度調整作業の時間短縮ができ、住宅内外に固定し撮影するカメラ角度調機構として実用的にきわめて有用である。
【発明を実施するための最良の形態】
【０００７】
上記本発明の構成によれば、カメラをいれた回転体が一定の力で保持されているために、ボールジョイントなどの締め付け機構を不要にすることができる。
【０００８】
以下に本発明の一実施の形態について説明する。まず、図１において、１で示すのはカメラ、２で示すのはカメラを取り付ける本体である。このカメラ１は、球体の形をしており、この球の半分が表に現れ、残りの半分は本体内に収納されている。。そのカメラ１は、本体２に開けられた、カメラ１を構成する球中心を通る断面の面積より小さい面積の円状の穴の裏側から表側に円状の穴に接触させて表に出すよう構成されている。
【０００９】
図２は、図１に示すａ−ａ’断面、図３は、図１に示すｂ−ｂ’断面を表す断面図である。カメラ１を本体２に取り付ける方法を、図２、図３を使って説明する。図において、３で示すはカメラ１を本体２の裏側から押さえる固定板である。本実施の形態において、この固定板３は、カメラ１を構成する球の中心を通る断面の半径より短い半径を有する円形の穴があいている。４で示すのはコイルばね、５はコイルばね４が通る取り付けボス、６はねじ、７は押さえ板である。
【００１０】
図２に示すように、円状の穴が開いている本体２に、裏側から球状のカメラ１を接触させる。このとき、カメラ１が本体２より表に出ずに、本体２と接触できるようにするために、本体２に開ける円状の穴の直径は、球の中心を通る断面円の直径より小さくする。このことで、本体２の裏側から、球状のカメラ１の裏側から力を加えても、カメラ１全体が本体２から出ないようにできる。
【００１１】
次に、ねじ取り付けボス５は、本体２と一体構造しており、カメラ１を押さえる固定板３には、ねじ取り付けボス５が通る穴が、図２に示すように開いている。この固定板３にある穴にねじ取り付けボス５を通して、固定板３設けた円形の穴にカメラ１がひっかかり本体２の裏側に落ちないようを押さえる。
【００１２】
次に、この固定板３が常にカメラ１を本体２の裏側から押さえ続けるために、ねじ取り付けボス５に固定板３を通したのちに、それぞれのねじ取り付けボス５にコイルばね４を通す。そして、これを押さえ板７でコイルばね４を縮めることで、固定板３でカメラ１を本体２の裏側か押さえる力が発生する。固定板３でカメラ１を本体２の裏側から本体２に押さえつける力を、押さえ板７をねじ６の締め付ける長さで調整することができる。
【００１３】
なお、押さえ板７は、ねじ取り付けボス５にねじ６で締め付けるように、穴を開けている。このとき、カメラ１、本体２の円状の穴、固定板３、押さえ板７の中心点は、カメラ球体の中心線上にくるようにすることで、押さえ板７で押さえと回転の２つの機能を実現することができる。このような、機構にすることで、球状のカメラ１を垂直、水平方向の回転は、本体２に設けた円形の穴の縁部分と固定板３に設けた円形の穴の縁分とカメラ１の表面とが接触により発生している摩擦力で保持されている。このため、ボールジョイントなどの角度調整時に、締め付け構造が不要になり、小型化が実現できる。
【００１４】
上記のように、カメラ１は、本体２と固定板３とで挟みこみ、その摩擦力で過度調整した位置を保持している。これを実現するためには、図４の（ａ）に示すように、カメラ１の球中心線をはさみ、本体２と固定板３を配置する必要がある。コイルばね４を縮めて力を発生させるためには、固定板３から本体２までの距離が必要になる。
【００１５】
このため、コイルばね４で固定板３を押さえる位置は、なるべく本体２の表側に近づける必要があるが、図４（ａ）の固定板３の形では、カメラ１の中心線までしか近づけることができない。そこで、図４（ｂ）のようにコイルばね４で固定板３を押さえる位置と固定板３でカメラ１を押さえる位置にオフセットを持たす形にすることにより、固定板３の位置を本体２の表面に接触する位置まで移動することができる。
【００１６】
また、この摩擦力は、押さえ板７を締め付けるねじ６の締め付ける長さで調整でき、カメラ１の押さえと回転する力を調整することができる。このことで、各部材のバラツキ、角度調整力の調整をすることができる。さらに、固定板３をアセタール樹脂製にすることで、滑らかにカメラ１を回転して角度調整をすることができる。
【産業上の利用可能性】
【００１７】
本発明は、カメラの角度調整機構に関するものであるため、例えば住宅内外に固定し撮影するカメラに用いれば、セキュリティーシステムによるサービス性を向上させることができる。
【図面の簡単な説明】
【００１８】
【図１】本発明の一実施の形態に係る撮影装置の構成を示す外形図
【図２】本発明の一実施の形態に係る撮影装置の構成を示す断面図
【図３】本発明の一実施の形態に係る撮影装置の構成を示す断面図
【図４】本発明の一実施の形態に係る撮影装置の押さえ板を説明する図
【図５】従来の撮影装置の外形図
【符号の説明】
【００１９】
１      カメラ
２      本体
３      固定板
４      コイルばね
５      ねじ取り付けボス
６      ねじ
７      押さえ板
８      カメラ本体
９      取り付け部材
１０    締め付けねじ
１１    ボールジョイント
【図１】
2005217718.tif 000003
【図２】
2005217718.tif 000004
【図３】
2005217718.tif 000005
【図４】
2005217718.tif 000006
【図５】
2005217718.tif 000007